(57)【要約】【課題】  カラオケシステムに接続可能なデジタルテレビ装置によるカラオケ映像表示タイミングと、当該カラオケシステムのスピーカシステムによるカラオケ演奏音発生タイミングとを同期させる。【解決手段】  デジタルテレビ装置２３に対してガイドメロディ信号を出力するガイドメロディ信号出力手段４９ａ、ガイドメロディデータをリファレンスとして、デジタルテレビ装置２３の内蔵スピーカ２３ｂから発生するガイドメロディの歌唱採点を行って、カラオケ演奏装置１１に付帯したスピーカ２４の演奏音発生タイミングに対する、デジタルテレビ装置２３に固有のカラオケ映像表示タイミングの遅れ（ディレイ値４４ｄ）を取得する歌唱採点手段４７（ディレイ値取得手段４７ａ）、ディレイ値４４ｄをＨＤＤ４４に記憶させるディレイ値記憶手段５１、カラオケ演奏の再生遅延制御を行う演奏再生制御手段４９を備える。【選択図】  図１
2010276949.tif 000002
【特許請求の範囲】
【請求項１】
カラオケシステムに接続可能なデジタルテレビ装置におけるカラオケ映像表示タイミングと、当該カラオケシステムのスピーカシステムにおけるカラオケ演奏音発生タイミングとを同期させるためのデジタルテレビ対応カラオケシステムであって、ガイドメロディ信号出力手段と、歌唱採点手段と、ディレイ値記憶手段と、演奏再生制御手段と、を備え、
前記ガイドメロディ信号出力手段は、任意のカラオケ楽曲のガイドメロディデータに基づき、前記デジタルテレビ装置に対して、その内蔵スピーカからガイドメロディを発生させるためのガイドメロディ信号を出力し、
前記歌唱採点手段は、前記内蔵スピーカから発生されたガイドメロディについて、前記カラオケ楽曲のガイドメロディデータをリファレンスとして歌唱採点を行うことにより、前記スピーカシステムにおける演奏音発生タイミングに対する、前記デジタルテレビ装置に固有のカラオケ映像表示タイミングの遅れであるディレイ値を取得し、
前記ディレイ値記憶手段は、前記取得したディレイ値を所定の記憶部に記憶させ、
前記演奏再生制御手段は、任意のカラオケ楽曲の演奏において、カラオケ演奏の再生を遅延させる制御を行う、
ことを特徴とするデジタルテレビ対応カラオケシステム。
【請求項２】
ディレイ値提示手段を、さらに備え、
前記ディレイ値提示手段は、前記記憶されたディレイ値を提示することを特徴とする請求項１に記載のデジタルテレビ対応カラオケシステム。
【請求項３】
前記演奏再生制御手段は、任意のカラオケ楽曲の演奏において、前記記憶されたディレイ値に基づいて、カラオケ演奏の再生を遅延させる自動制御を行う、
ことを特徴とする請求項１又は２に記載のデジタルテレビ対応カラオケシステム。
【発明の詳細な説明】
【技術分野】
【０００１】
本発明は、カラオケシステムに接続可能なデジタルテレビ装置におけるカラオケ映像表示タイミングと、当該カラオケシステムのスピーカシステムにおけるカラオケ演奏音発生タイミングとを同期させることが可能なデジタルテレビ対応カラオケシステムに関するものである。
【背景技術】
【０００２】
近年、テレビジョンにおける画像のデジタル化が促進されるとともに、地上アナログ放送から地上デジタル放送への変更が予定されている。このようなアナログテレビからデジタルテレビへの変更に伴い、映像表示タイミングと音声発生タイミングとの同期が問題となってきた。すなわち、映像信号と音声信号とをデジタル処理する場合に両者を比較すると、映像信号のデータ量が多いとともに、再生処理が複雑であるため、再生された音声に対して映像が遅延してしまう。
【０００３】
そこで、従来、映像表示タイミングと音声発生タイミングとを同期させるための技術が、種々提案されている（特許文献１参照）。特許文献１に記載された映像音声処理システムに関する技術は、映像処理装置とアンプ装置とが、少なくとも映像信号線路と制御信号線路とによって接続されている。そして、映像処理装置は、映像信号線路を通じて供給を受ける映像信号を処理して表示素子に供給する表示用映像信号を形成する映像信号処理手段と、映像信号線路を通じて供給を受ける映像信号を映像信号処理手段で処理して、当該映像信号に応じた映像を表示素子の表示画面に表示するまでに要する処理時間を示す処理時間情報を、制御信号線路を通じて提供するための提供手段と、を備えている。また、アンプ装置は、供給を受けた音声信号に対して所定の処理を行ってスピーカに供給する音声信号処理手段と、制御信号線路を通じて、提供手段から処理時間情報を取得する取得手段と、取得手段により取得した処理時間情報に応じた時間分、スピーカに供給する音声信号を遅延させる遅延処理手段と、を備えている。これにより、音声信号と映像信号とが異なる機器で処理されるシステムにおいて、いわゆるリップシンクのずれを発生させないようにすることができるとされている。
【先行技術文献】
【特許文献】
【０００４】
【特許文献１】特開２００６−３３４３６号公報
【発明の概要】
【発明が解決しようとする課題】
【０００５】
ところで、カラオケ演奏装置では、スピーカシステムから発生するカラオケ演奏音の発生タイミングと、背景映像や歌詞テロップ等からなる映像の表示タイミングとを同期させている。カラオケ店で一般的に普及しているカラオケ演奏装置では、専用のモニタではなく、汎用のテレビモニタを利用して映像表示を行うことが多い。このような状況の下、上述したように、地上アナログ放送が終了して地上デジタル放送のみとなると、カラオケ店でも地上デジタル放送に対応したデジタルテレビモニタを使用することになる。
【０００６】
したがって、カラオケ演奏における音声発生タイミングと映像表示タイミングとのずれが問題となる。すなわち、カラオケ演奏音の発生タイミングと背景映像や歌詞テロップの表示タイミングとがずれることが考えられ、特に、カラオケ演奏音の発生タイミングと歌詞テロップの表示タイミングとがずれると、歌唱が困難となり、カラオケ演奏装置本来の機能が損なわれてしまう。
【０００７】
そこで、デジタルテレビモニタに対応して、カラオケ映像の表示タイミングと、スピーカシステムから発生するカラオケ演奏音の発生タイミングとを同期させることが可能なカラオケシステムの開発が望まれている。
【０００８】
本発明は、上述した事情に鑑み提案されたもので、カラオケシステムに接続可能なデジタルテレビ装置におけるカラオケ映像表示タイミングと、当該カラオケシステムのスピーカシステムにおけるカラオケ演奏音発生タイミングとを同期させることが可能なデジタルテレビ対応カラオケシステムを提供することを目的とする。
【課題を解決するための手段】
【０００９】
本発明のデジタルテレビ対応カラオケシステムは、上述した目的を達成するため、以下の特徴点を有している。すなわち、本発明のデジタルテレビ対応カラオケシステムは、カラオケシステムに接続可能なデジタルテレビ装置におけるカラオケ映像表示タイミングと、当該カラオケシステムのスピーカシステムにおけるカラオケ演奏音発生タイミングとを同期させるためのデジタルテレビ対応カラオケシステムであって、ガイドメロディ信号出力手段と、歌唱採点手段と、ディレイ値記憶手段と、演奏再生制御手段と、を備えている。
【００１０】
ガイドメロディ信号出力手段は、任意のカラオケ楽曲のガイドメロディデータに基づき、デジタルテレビ装置に対して、その内蔵スピーカからガイドメロディを発生させるためのガイドメロディ信号を出力するための手段である。歌唱採点手段は、内蔵スピーカから発生されたガイドメロディについて、カラオケ楽曲のガイドメロディデータをリファレンスとして歌唱採点を行うことにより、スピーカシステムにおける演奏音発生タイミングに対する、デジタルテレビ装置に固有のカラオケ映像表示タイミングの遅れであるディレイ値を取得するための手段である。ディレイ値記憶手段は、取得したディレイ値を所定の記憶部に記憶させるための手段である。演奏再生制御手段は、任意のカラオケ楽曲の演奏において、カラオケ演奏の再生を遅延させる制御を行うための手段である。
【００１１】
このような構成からなるデジタルテレビ対応カラオケシステムでは、ガイドメロディ信号出力手段から出力されたガイドメロディ信号がデジタルテレビ装置に入力され、その内蔵スピーカからガイドメロディが発生される。このガイドメロディは、カラオケ演奏装置に付帯されたカラオケマイクにより集音され、歌唱採点手段の機能により、ガイドメロディデータをリファレンスとして、スピーカシステムにおける演奏音発生タイミングに対する、デジタルテレビ装置に固有のカラオケ映像表示タイミングの遅れであるディレイ値を取得する。
【００１２】
一般的には、歌唱採点手段に直接入力されるガイドメロディデータと、デジタルテレビ装置の内蔵スピーカから発生され、カラオケマイクに入力されたガイドメロディとを比較すると、リファレンスであるガイドメロディデータの再生タイミングよりも、ガイドメロディの入力タイミングの方が遅延していることになり、歌唱採点手段はこの遅延を検知してディレイ値を取得する（図４参照）。取得したディレイ値は、ディレイ値記憶手段の機能により、ハードディスク記憶装置等に記憶される。そして、演奏再生制御手段の機能により、カラオケ演奏の再生遅延制御を行うことにより、デジタルテレビ装置のモニタに表示されるカラオケ映像の表示タイミングと、スピーカシステムから発生するカラオケ演奏音の発生タイミングとを同期させる。
【００１３】
また、上述した構成に加えて、ディレイ値提示手段をさらに備えることが可能である。ディレイ値提示手段は、所定の記憶部に記憶されたディレイ値を提示するための手段である。このような構成からなるデジタルテレビ対応カラオケシステムでは、ディレイ値提示手段の機能により、ディレイ値をデジタルテレビ装置のモニタに表示したり、スピーカからディレイ値読み上げ音声を発生させたりする。
【００１４】
また、上述した構成において、演奏再生制御手段は、任意のカラオケ楽曲の演奏において、記憶されたディレイ値に基づいて、カラオケ演奏の再生を遅延させる自動制御を行うように構成することが可能である。このような構成からなるデジタルテレビ対応カラオケシステムでは、カラオケ演奏の再生遅延制御を自動的に行うことにより、デジタルテレビ装置のモニタに表示されるカラオケ映像の表示タイミングと、スピーカシステムから発生するカラオケ演奏音の発生タイミングとを同期させる。
【発明の効果】
【００１５】
本発明のデジタルテレビ対応カラオケシステムによれば、歌唱採点手段に直接入力されるガイドメロディデータをリファレンスとして、デジタルテレビ装置の内蔵スピーカから発生され、カラオケマイクに入力されたガイドメロディの歌唱採点を行うことにより、スピーカシステムにおける演奏音発生タイミングに対する、デジタルテレビ装置に固有のカラオケ映像表示タイミングの遅れであるディレイ値を取得することができる。このため、特別な装置を付加することなく、既存のカラオケ演奏装置が有している歌唱採点機能を用いて、デジタルテレビ装置のモニタにおけるディレイ値を取得することができる。そして、このディレイ値に基づいてカラオケ演奏の再生を遅延させて、デジタルテレビ装置のモニタに表示されるカラオケ映像の表示タイミングと、スピーカシステムから発生するカラオケ演奏音の発生タイミングとを同期させることが可能となる。
【００１６】
また、取得したディレイ値を提示するディレイ値提示手段を備える構成とした場合には、サービスマン等が容易にディレイ値を把握することができるので、ディレイ値の設定操作が容易となる。さらに、演奏再生制御手段において、カラオケ演奏の再生遅延制御を自動的に行う構成とした場合には、サービスマン等によるディレイ値設定の手間を省くことができる。
【００１７】
このように、専用のモニタではなく、汎用のデジタルテレビ装置を利用して映像表示を行うカラオケシステムであっても、デジタルテレビ装置のモニタに表示される背景映像や歌詞テロップ及び色変わりの表示タイミングと、スピーカシステムから発生されるカラオケ演奏音の発生タイミングとがずれることがなく、カラオケ演奏装置本来の機能を発揮して、歌唱を楽しませることができる。
【図面の簡単な説明】
【００１８】
【図１】本発明の実施形態に係るデジタルテレビ対応カラオケシステムを適用するカラオケ演奏装置のブロック図。
【図２】本発明の第１の実施形態に係るデジタルテレビ対応カラオケシステムにおける同期制御処理を模式的に示す説明図。
【図３】本発明の第２の実施形態に係るデジタルテレビ対応カラオケシステムにおける同期制御処理を模式的に示す説明図。
【図４】ディレイ値取得方法の説明図。
【発明を実施するための形態】
【００１９】
以下、図面を参照して、本発明のデジタルテレビ対応カラオケシステムの実施形態を説明する。本発明の実施形態に係るデジタルテレビ対応カラオケシステムは、カラオケシステムに接続可能なデジタルテレビ装置におけるカラオケ映像表示タイミングと、当該カラオケシステムのスピーカシステムにおけるカラオケ演奏音発生タイミングとを同期させるためのデジタルテレビ対応カラオケシステムであって、主要な構成要素として、ガイドメロディ信号出力手段、歌唱採点手段、ディレイ値記憶手段、演奏再生制御手段、を備えている。さらに、付加的な構成要素として、ディレイ値提示手段、制御値入力手段を備えることが可能である。図１に、本発明の実施形態に係るデジタルテレビ対応カラオケシステムを適用するカラオケ演奏装置の構成を示す。
【００２０】
＜カラオケ演奏装置＞
本発明の実施形態に係るカラオケ演奏装置１１は、図１に示すように、カラオケ本体２１、カラオケリモコン装置２２、デジタルテレビ装置２３、スピーカ２４、ミキシングアンプ２５、カラオケマイク２６を備えている。本実施形態では、カラオケマイク２６で集音した音声信号が、歌唱採点手段４７で使用されるため、カラオケマイク２６はＡ／Ｄコンバータ５０に接続されており、カラオケマイク２６で集音したアナログ音声信号がデジタル変換されて、カラオケ本体２１に入力される。
【００２１】
＜カラオケリモコン装置＞
カラオケリモコン装置２２は、ユーザインタフェース機能を備えており、カラオケ本体２１の送受信手段４５に対して有線方式又は無線方式によりデータの送受信を行うようになっている。このカラオケリモコン装置２２は、楽曲検索手段２２ａとして機能するプログラム、楽曲索引データベース２２ｂ、データの送受信を行うための電子回路及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作等の各種の操作が行われる。
【００２２】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏装置１１で演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２３】
＜デジタルテレビ装置＞
デジタルテレビ装置２３は、デジタル変調技術とデジタル圧縮技術を用いて送信されるテレビ放送を受信するための装置であり、モニタ２３ａと、内蔵スピーカ２３ｂと、テレビアンプ２３ｃとを備えている。そして、ディレイ値取得時には、テレビアンプ２３ｃに対して、ガイドメロディ信号出力手段４９ａから出力されるガイドメロディ信号が入力され、アンプ機能により増幅されたガイドメロディが、内蔵スピーカ２３ｂから出力される。
【００２４】
モニタ２３ａは、カラオケ演奏時の背景映像や歌詞テロップ等を表示するための装置で、例えば、デジタルデータに基づいて映像再生が行われるＣＲＴディスプレイ、液晶ディスプレイ、プラズマディスプレイ等により構成される。
【００２５】
＜カラオケ本体＞
カラオケ本体２１は、中央制御手段４１、ＲＯＭ４２、ＲＡＭ４３、ＨＤＤ４４、送受信手段４５、予約管理手段４６、歌唱採点手段４７、ディレイ値取得手段４７ａ、映像再生制御手段４８、演奏再生制御手段４９、ガイドメロディ信号出力手段４９ａ、Ａ／Ｄコンバータ５０、ディレイ値記憶手段５１、ディレイ値提示手段５２、制御値入力手段５３を備えている。なお、ディレイ値取得手段４７ａは、歌唱採点手段４７の機能により構成され、ガイドメロディ信号出力手段４９ａは、演奏再生制御手段４９の機能により構成される。また、ディレイ値提示手段５２及び制御値入力手段５３は、ディレイ値を手動入力する場合に必要な手段であり、ディレイ値を自動入力する場合には省略することができる。
【００２６】
＜中央制御手段＞
中央制御手段４１は、カラオケ本体２１を総合的に制御するための手段であり、例えばＣＰＵ及びその周辺機器により構成されており、ＣＰＵ等がＲＯＭ４２等に記憶されたアプリケーションプログラムに従って動作することにより、制御機能を発揮することができるようになっている。
【００２７】
＜ＲＯＭ／ＲＡＭ＞
ＲＯＭ４２は、カラオケ本体２１を構成する各機器を制御するためのアプリケーションプログラムデータや数値データを記憶するための機器で、例えば半導体メモリ等で構成される。また、ＲＡＭ４３は、アプリケーションプログラムや各種データを一時的に記憶する一時記憶領域として機能するもので、例えば半導体メモリ等で構成される。なお、物理的な半導体メモリによりＲＡＭ４３を構成するのではなく、ハードディスク記憶装置等を用いて仮想的なＲＡＭ４３を構成してもよい。本実施形態では、ＲＡＭ４３に、予約待ち行列４３ａが記憶されている。
【００２８】
＜ＨＤＤ＞
ＨＤＤ４４は、大容量記憶装置として機能するもので、楽曲データベース４４ａ、映像データベース４４ｃ、当該カラオケ本体２１に接続されたデジタルテレビ装置２３に固有のディレイ値４４ｄが格納されている。なお、ＨＤＤ４４に替えて、あるいはＨＤＤ４４とともに、データを書き替え可能なＤＶＤ等の大容量記憶装置を用いてもよい。
【００２９】
楽曲データベース４４ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、ガイドメロディデータ４４ｂを含んでいる。また、歌詞テロップデータは演奏データに同期されたカラオケ楽曲の歌詞文字データである。なお、歌詞文字データには、歌詞文字の表示色データ、色変わりデータ等が含まれている。映像データベース４４ｃは、演奏されるカラオケ楽曲に対応した背景映像を、当該カラオケ楽曲の楽曲ＩＤに対応させた映像ファイルとして所定数格納したデータベースである。
【００３０】
＜送受信手段＞
送受信手段４５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間で、データの送受信が行われる。
【００３１】
＜予約管理手段＞
予約管理手段４６は、任意の利用者により選曲されたカラオケ楽曲の楽曲ＩＤに当該利用者の利用者ＩＤを付帯して、予約待ち行列４３ａにて管理するためのプログラムからなる。具体的には、任意の利用者により楽曲検索手段２２ａの機能を用いて選曲され、送受信手段４５を介して受信し楽曲ＩＤに、当該選曲者の利用者ＩＤ等を対応付けて、予約待ち行列４３ａとしてＲＡＭ４３に格納して管理する。
【００３２】
＜歌唱採点手段＞
歌唱採点手段４７は、利用者による任意の楽曲の歌唱について、所定の歌唱区間毎に歌唱採点を行うためのプログラムからなる。歌唱採点手段４７では、カラオケマイク２６より入力され、Ａ／Ｄコンバータ５０でデジタル変換された歌唱者の音声信号から、音程、声量、テンポ等の歌唱評価データを抽出するとともに、この歌唱評価データと演奏楽曲の主旋律等のリファレンスデータとを比較して採点を行うようになっている。歌唱採点方法については、特開２００７−１２１９１７号公報等に詳細に記載されている。
【００３３】
＜ディレイ値取得手段＞
また、本発明の歌唱採点手段４７は、デジタルテレビ装置２３の内蔵スピーカ２３ｂから発生されたガイドメロディについて、カラオケ楽曲のガイドメロディデータをリファレンスとして歌唱採点を行うことにより、カラオケ本体１１に付帯されたスピーカ２４における演奏音発生タイミングに対する、デジタルテレビ装置２３に固有のカラオケ映像表示タイミングの遅れであるディレイ値を取得するためのディレイ値取得手段４７ａとしての機能を有している。
【００３４】
すなわち、デジタルテレビ装置２３が接続されたカラオケシステムでは、歌唱採点手段４７に直接入力されるガイドメロディデータと、内蔵スピーカ２３ｂから発生され、カラオケマイク２６に入力されたガイドメロディとを比較すると、リファレンスであるガイドメロディデータよりもカラオケマイク２６に入力されたガイドメロディの方が遅延している。そこで、歌唱採点手段４７が有するディレイ値取得手段４７ａの機能により、カラオケマイク２６に入力されたガイドメロディの遅延を検知して、当該カラオケシステムにおけるディレイ値４４ｄを取得することができる（図４参照）。
【００３５】
＜ディレイ値記憶手段＞
ディレイ値記憶手段５１は、ディレイ値取得手段４７ａの機能により取得したディレイ値４４ｄを、ＨＤＤ４４等からなる記憶部に記憶するための手段である。ＨＤＤ４４に記憶されたディレイ値４４ｄは、ディレイ値提示手段５１による提示に用いられたり、演奏再生制御手段４９におけるカラオケ演奏の自動再生遅延制御に用いられたりする。
【００３６】
＜ディレイ値提示手段＞
ディレイ値提示手段５２は、ＨＤＤ４４に記憶されたディレイ値４４ｄを提示するためのプログラムからなる。例えば、ディレイ値提示手段５２は、ＨＤＤ４４に記憶されたディレイ値４４ｄをデジタルテレビ装置２３のモニタ２３ａに表示したり、スピーカ２４からディレイ値の読み上げ音声を発生させたりする。これにより、手動でディレイ値の設定操作を行う場合には、サービスマン等が容易にディレイ値を把握することができる。なお、ディレイ値提示手段５２は、本発明の付加的構成要素である。
【００３７】
＜制御値入力手段＞
制御値入力手段５３は、ディレイ値取得手段４７ａにより取得したディレイ値に基づいて設定された制御値を、演奏再生制御手段４９に入力するための電子回路及びプログラムからなる。この制御値入力手段５３は、サービスマン等の手動操作により、ディレイ値に基づく制御値を設定する際に用いられる手段であり、本発明の付加的構成要素である。
【００３８】
＜演奏再生制御手段＞
演奏再生制御手段４９は、楽曲ＩＤに基づいて楽曲データベース４４ａから抽出された演奏データをデジタル再生するとともにアナログ変換してミキシングアンプ２５に出力するとともに、任意のカラオケ楽曲の演奏において、カラオケ演奏の再生を遅延させる制御を行うための電子回路及びプログラムからなる。また、演奏再生制御手段４９は、ガイドメロディ信号出力手段４９ａとしての機能を有している。
【００３９】
＜ガイドメロディ信号出力手段＞
ガイドメロディ信号出力手段４９ａは、任意のカラオケ楽曲のガイドメロディデータに基づき、デジタルテレビ装置２３に対して、その内蔵スピーカ２３ｂからガイドメロディを発生させるガイドメロディ信号を出力するための機能手段である。ガイドメロディ信号を受信したテレビアンプ２３ｃは、アンプ機能による増幅を行い、ガイドメロディとして内蔵スピーカ２３ｂから発生させる。
【００４０】
また、演奏再生制御手段４９の機能として、任意のカラオケ楽曲の演奏において、取得したディレイ値に基づいて、カラオケ演奏の再生を遅延させる自動制御を行ってもよい。この演奏再生制御手段４９の機能により、当該デジタルテレビ装置２３に特有のディレイ値４４ｄを用いて、同期制御処理（カラオケ演奏音の再生遅延処理）を行うことにより、モニタ２３ａに表示されるカラオケ映像の表示タイミングと、スピーカ２４から発生するカラオケ演奏音の発生タイミングとを同期させることができる。
【００４１】
また、ミキシングアンプ２５は、カラオケマイク２６から入力された歌唱者の歌唱音声信号と、演奏再生制御手段４９から送出される演奏音声信号とをミキシングするとともに、アンプ機能により増幅してスピーカ２４より出力させるための装置である。本実施形態では、ディレイ値取得を行うサンプリングモードにおいて、ミキシングアンプ２５のアンプ機能を停止させるような制御を行うことが好ましい。すなわち、通常の歌唱時には、カラオケマイク２６は歌唱者の口元へ向けられており、内蔵スピーカ２３ｂ及びスピーカ２４の方向へは向けられていないため、ハウリングが問題となることは少ない。しかし、サンプリングモードでは、ガイドメロディをカラオケマイク２６で集音する際に、集音したガイドメロディがミキシングアンプ２５で増幅されてスピーカ２４から発生されると、このガイドメロディがカラオケマイク２６に入力されてミキシングアンプ２５へ帰還することにより、ハウリングが発生する可能性がある。そこで、サンプリングモードにおいて、ミキシングアンプ２５のアンプ機能を停止させるような制御を行うことにより、カラオケマイク２６で集音したガイドメロディがミキシングアンプ２５へ帰還することを防止して、ハウリングの発生を抑制することができる。
【００４２】
＜映像再生制御手段＞
映像再生制御手段４８は、カラオケ楽曲の演奏中に、映像データベース４４ｃから抽出した映像データ及び楽曲データベース４４ａから抽出した楽曲データのうちの歌詞テロップデータ（歌詞文字データ）を、当該カラオケ楽曲の演奏データに同期させてモニタ２３ａに出力するための電子回路である。この際、カラオケ楽曲の演奏進行に従って、歌詞文字が色変わりして表示される。
【００４３】
＜同期制御処理＞
図２及び図３を参照して、本実施形態のデジタルテレビ対応カラオケシステムにおける同期制御処理を説明する。図２は、本発明の第１の実施形態に係るデジタルテレビ対応カラオケシステムにおける同期制御処理を示す説明図である。また、図３は、本発明の第２の実施形態に係るデジタルテレビ対応カラオケシステムにおける同期制御処理を示す説明図である。
【００４４】
＜第１の実施形態＞
本発明の第１の実施形態に係るデジタルテレビ対応カラオケシステムにおける同期制御処理は、ディレイ値の設定をマニュアルで行うようにしたものである。
第１の実施形態では、図２に示すように、ガイドメロディ信号出力手段４９ａから出力されたガイドメロディ信号がデジタルテレビ装置２３のテレビアンプ２３ｃに入力され、アンプ機能による増幅が行われて、内蔵スピーカ２３ｂからガイドメロディが発生される。このガイドメロディは、カラオケマイク２６により集音され、Ａ／Ｄコンバータ５０を介してカラオケ本体２１に入力される。そして、歌唱採点手段４７が有するディレイ値取得手段４７ａの機能により、当該カラオケ楽曲のガイドメロディデータ４４ｂをリファレンスとしてガイドメロディの遅延を検出してディレイ値を取得する。
【００４５】
上述したように、歌唱採点手段４７に直接入力されるガイドメロディデータと、内蔵スピーカ２３ｂから発生され、カラオケマイク２６に入力されたガイドメロディとを比較すると、リファレンスであるガイドメロディデータ４４ｂの再生タイミングよりも、ガイドメロディの入力タイミングの方が遅延している。そこで、ディレイ値取得手段４７ａの機能により、ガイドメロディデータ４４ｂの再生タイミングに対するガイドメロディの入力タイミングのズレに基づいて、当該カラオケシステムにおけるディレイ値４４ｄを取得することができる。
【００４６】
ディレイ値取得手段４７ａで取得されたディレイ値４４ｄは、ディレイ値記憶手段５１の機能により、ＨＤＤ４４に記憶される。このように、ディレイ値取得手段４７ａで取得したディレイ値４４ｄをＨＤＤ４４に記憶することにより、デジタルテレビ装置２３を交換しない限り、一度サンプリングしたディレイ値４４ｄを利用することができるので、サンプリングの手間を省くことができる（第２の実施形態において同様）。
【００４７】
また、ＨＤＤ４４に記憶されたディレイ値４４ｄは、ディレイ値提示手段５２の機能により提示され、サービスマン等が、提示されたディレイ値４４ｄに基づいて制御値を設定する。制御値は、制御値入力手段５３から演奏再生制御手段４９に入力され、ミキシングアンプ２５により増幅されスピーカ２４から発生されるカラオケ演奏音の発生タイミングを遅延させる制御が行われる。
【００４８】
＜第２の実施形態＞
本発明の第２の実施形態に係るデジタルテレビ対応カラオケシステムにおける同期制御処理は、ディレイ値の設定を自動的に行うようにしたものである。
第２の実施形態では、図３に示すように、ガイドメロディ信号出力手段４９ａから出力されたガイドメロディ信号がデジタルテレビ装置２３のテレビアンプ２３ｃに入力され、アンプ機能による増幅が行われて、内蔵スピーカ２３ｂからガイドメロディが発生される。このガイドメロディは、カラオケマイク２６により集音され、Ａ／Ｄコンバータ５０を介してカラオケ本体２１に入力される。そして、歌唱採点手段４７が有するディレイ値取得手段４７ａの機能により、当該カラオケ楽曲のガイドメロディデータ４４ｂをリファレンスとしてガイドメロディの遅延を検出してディレイ値を取得する。
【００４９】
ディレイ値取得手段４７ａで取得されたディレイ値４４ｄは、ディレイ値記憶手段５１の機能により、ＨＤＤ４４に記憶される。そして、演奏再生制御手段４９では、ＨＤＤ４４に記憶されたディレイ値４４ｄに基づいて、ミキシングアンプ２５により増幅されスピーカ２４から発生されるカラオケ演奏音の発生タイミングを遅延させる自動制御が行われる。
【００５０】
＜他の実施形態＞
本発明のデジタルテレビ対応カラオケシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５１】
＜ネットワークカラオケシステム＞
また、上述した実施形態は、カラオケ演奏装置１１をスタンドアロンで使用した例を示しているが、各カラオケ店舗等に設置されたカラオケ演奏装置１１を端末装置とし、インターネット回線等を用いて、端末装置とホスト装置とをネットワーク接続した構成とすることもできる。この場合には、ホスト装置において、利用者ＩＤ等を集中管理することにより、ネットワーク接続された各カラオケ演奏装置１１において同様のサービスを提供することができる。
【符号の説明】
【００５２】
１１  カラオケ演奏装置
２１  カラオケ本体
２２  カラオケリモコン装置
２２ａ  楽曲検索手段
２２ｂ  楽曲索引データベース
２３  デジタルテレビ装置
２３ａ  モニタ
２３ｂ  内蔵スピーカ
２３ｃ  テレビアンプ
２４  スピーカ
２５  ミキシングアンプ
２６  カラオケマイク
４１  中央制御手段
４２  ＲＯＭ
４３  ＲＡＭ
４３ａ  予約待ち行列
４４  ＨＤＤ
４４ａ  楽曲データベース
４４ｂ  ガイドメロディデータ
４４ｃ  映像データベース
４４ｄ  ディレイ値
４５  送受信手段
４６  予約管理手段
４７  歌唱採点手段
４８  映像再生制御手段
４９  演奏再生制御手段
４９ａ  ガイドメロディ信号出力手段
５０  Ａ／Ｄコンバータ
５１  ディレイ値記憶手段
５２  ディレイ値提示手段
５３  制御値入力手段
【図１】
2010276949.tif 000003
【図２】
2010276949.tif 000004
【図３】
2010276949.tif 000005
【図４】
2010276949.tif 000006